(57)【要約】【課題】  小型化を図ることができる携帯機器のスライド機構及びその携帯機器のスライド機構を備えた携帯電話機を提供する。【解決手段】  第１筐体２の両側部と第２筐体３の両側部を互いにスライドさせて、第１筐体２の上面を第２筐体３で覆う閉成状態と、第１筐体２の上面を露出させる開成状態とを形成する。第２筐体３に設けられたガイド溝４と、第１筐体２に設けられ、弾性を付与された状態でガイド溝４内へ摺動可能に圧接するスライドユニット６と、スライドユニット６に取り付けられ、ガイド溝４に回動することなくスライド係合するスライド部材５とを備えたことにより、前記課題を解決した。【選択図】        図２
2006173794.tif 000002
【特許請求の範囲】
【請求項１】
携帯機器を構成する第１筐体の両側部と第２筐体の両側部を互いにスライド係合させて、前記第１筐体と前記第２筐体のいずれか一方の筐体の上面を前記第１筐体と前記第２筐体のいずれか他方の筐体で覆う閉成状態と、前記一方の筐体の上面を露出させる開成状態とを形成するスライド機構であって、
前記第１筐体と前記第２筐体とのいずれか一方の筐体の両側部に設けられ、その長手方向に延びるガイド溝と、
前記第１筐体と前記第２筐体とのいずれか他方の筐体の両側部の一端部近傍に設けられ、弾性を付与された状態で前記ガイド溝内へ摺動可能に圧接するスライドユニットと、
該スライドユニットに取り付けられ、前記ガイド溝に回動することなくスライド係合するスライド部材とを備えたことを特徴とする、携帯機器のスライド機構。
【請求項２】
前記ガイド溝が、直線状に形成されていることを特徴とする、請求項１に記載の携帯機器のスライド機構。
【請求項３】
前記ガイド溝が、前記開成状態の前記第１筐体と前記第２筐体とのなす開成角度が鈍角になるように湾曲状に形成されていることを特徴とする、請求項１に記載の携帯機器のスライド機構。
【請求項４】
前記ガイド溝に、前記閉成状態から前記開成状態へと前記第１筐体と前記第２筐体をスライドさせたとき、前記第１筐体と前記第２筐体とが直線方向にスライドした後にスライドしつつ回動して前記第１筐体と前記第２筐体とのなす開成角度が鈍角になる回動部を設けたことを特徴とする、請求項１〜３のいずれか１項に記載の携帯機器のスライド機構。
【請求項５】
前記ガイド溝に、前記開成状態の前記第１筐体と前記第２筐体とをさらに前記スライド部材を軸に互いに回動させて前記第１筐体と前記第２筐体とのなす開成角度を鈍角にする回動部を設けたことを特徴とする、請求項１〜３のいずれか１項に記載の携帯機器のスライド機構。
【請求項６】
前記ガイド溝内に設けられ、前記スライドユニットと係合して前記第１筐体と前記第２筐体とを所定の位置にロック状態に保持する係合凹部を備えたことを特徴とする、請求項１〜５のいずれか１項に記載の携帯機器のスライド機構。
【請求項７】
前記スライドユニットが、出没可能に設けられている凸部材を有することを特徴とする、請求項６に記載の携帯機器のスライド機構。
【請求項８】
前記スライドユニットを、前記他方の筐体に取り付けられ、出没孔を有するケース体と、このケース体内に前記出没孔から出没可能に収容されるボールベアリングと、前記ケース体内に収容され、前記ボールベアリングを突出方向に付勢する圧縮コイルスプリングとで構成したことを特徴とする、請求項６に記載の携帯機器のスライド機構。
【請求項９】
前記請求項１〜８のいずれか１項に記載の携帯機器のスライド機構を備えたことを特徴とする、携帯電話機。
【発明の詳細な説明】
【技術分野】
【０００１】
本発明は、携帯電話機などの携帯機器を構成する第１筐体と第２筐体を相対的にスライドさせる際に用いられて好適な携帯機器のスライド機構及びその携帯機器のスライド機構を備えた携帯電話機に関するものである。
【背景技術】
【０００２】
携帯機器の一種である携帯電話機において、キーボード部やマイク部等を上面に設けた送話部としての第１筐体と、表示部やスピーカー部等を上面に設けた受話部としての第２筐体とを有し、これらの第１筐体と第２筐体が重なり合って第２筐体で第１筐体の上面を覆う閉成状態と、第２筐体を第１筐体に対して長手方向へスライドさせて第１筐体の上面を露出させる開成状態とを作り出す、スライド機構付きのものが市場に出回っている。このようなスライド機構を有する携帯電話機としては、下記する特許文献１に記載されたものが公知である。
【特許文献１】特開２００４−２３５８９７号公報
【発明の開示】
【発明が解決しようとする課題】
【０００３】
この特許文献１に記載されたものは、受話部としての第２筐体の両側部にその後端部近傍から先端部近傍までの長手方向に延びるガイド溝を設けると共に、送話部としての第１筐体の両側部の中央部と先端部近傍の２箇所にそれぞれガイド溝に係合するガイド部材を設けて、第２筐体の両側部と第１筐体の両側部とを互いにスライド係合させることができるという構成のものであった。このような構成であると、閉成状態の場合には、第１筐体と第２筐体が重なり合って第２筐体で第１筐体の上面が覆われている。すなわち、第１筐体の中央部のガイド部材は第２筐体のガイド溝の中央部に位置されていると共に、先端部近傍のガイド部材は第２筐体のガイド溝の先端部近傍に位置されている。この閉成状態から第２筐体を第１筐体に対して長手方向へスライドさせて、第１筐体の中央部のガイド部材を第２筐体のガイド溝の後端部近傍に位置させると共に先端部近傍のガイド部材を第２筐体のガイド溝の中央部に位置させることで、第１筐体の上面が露出して開成状態を作り出すことができる。しかし、この開成状態にあっては、第１筐体の略中央部から先端部までと第２筐体の略中央部から後端部までとが重なり合っているために、第１筐体及び第２筐体の長手方向の長さが長くなって小型化を図れなかった。
【０００４】
本発明は、前記課題を解決するためになされたものであって、その目的は、小型化を図ることができる携帯機器のスライド機構及びその携帯機器のスライド機構を備えた携帯電話機を提供することにある。
【課題を解決するための手段】
【０００５】
前記の目的を達成するための本発明に係る携帯機器のスライド機構は、携帯機器を構成する第１筐体の両側部と第２筐体の両側部を互いにスライド係合させて、前記第１筐体と前記第２筐体のいずれか一方の筐体の上面を前記第１筐体と前記第２筐体のいずれか他方の筐体で覆う閉成状態と、前記一方の筐体の上面を露出させる開成状態とを形成するスライド機構であって、前記第１筐体と前記第２筐体とのいずれか一方の筐体の両側部に設けられ、その長手方向に延びるガイド溝と、前記第１筐体と前記第２筐体とのいずれか他方の筐体の両側部の一端部近傍に設けられ、弾性を付与された状態で前記ガイド溝内へ摺動可能に圧接するスライドユニットと、該スライドユニットに取り付けられ、前記ガイド溝に回動することなくスライド係合するスライド部材とを備えたことを特徴とする。
【０００６】
この発明によれば、ガイド溝と、弾性を付与された状態でガイド溝内へ摺動可能に圧接するスライドユニットと、ガイド溝に回動することなくスライド係合するスライド部材とを備えたことにより、他方の筐体が一方の筐体に対してスライド部材を軸に回動することがないために、閉成状態から第２筐体を第１筐体に対して長手方向へスライドさせたとき、スライド部材がガイド溝の他方の端部近傍に位置するので、一方の筐体の上面が露出する部分が他方の端部近傍から一方の端部までと多くなる。従って、開成状態にあっては、第１筐体と第２筐体とが重なり合っている部分が少なくなり、特に第１筐体及び第２筐体の長手方向の長さを短くでき、小型化を図れることになる。
【０００７】
本発明に係る携帯機器のスライド機構において、前記ガイド溝が、直線状に形成されていることが好ましい。また、本発明に係る携帯機器のスライド機構において、前記ガイド溝が、前記開成状態の前記第１筐体と前記第２筐体とのなす開成角度が鈍角になるように湾曲状に形成されていることが好ましい。また、本発明に係る携帯機器のスライド機構において、前記ガイド溝に、前記閉成状態から前記開成状態へと前記第１筐体と前記第２筐体をスライドさせたとき、前記第１筐体と前記第２筐体とが直線方向にスライドした後にスライドしつつ回動して前記第１筐体と前記第２筐体とのなす開成角度が鈍角になる回動部を設けることが好ましい。また、本発明に係る携帯機器のスライド機構において、前記ガイド溝に、前記開成状態の前記第１筐体と前記第２筐体とをさらに前記スライド部材を軸に互いに回動させて前記第１筐体と前記第２筐体とのなす開成角度を鈍角にする回動部を設けることが好ましい。なお、本発明においては開成角度とは、第１筐体の長手方向に延びる直線と第２筐体の長手方向に延びる直線がなす角度のうちの第１筐体の上面側の角度（図５（ｂ）における符号αで示す角度）とする。
【０００８】
また、本発明に係る携帯機器のスライド機構において、前記ガイド溝内に設けられ、前記スライドユニットと係合して前記第１筐体と前記第２筐体とを所定の位置にロック状態に保持する係合凹部を備えることが好ましい。また、本発明に係る携帯機器のスライド機構において、前記スライドユニットが、出没可能に設けられている凸部材を有することが好ましい。また、本発明に係る携帯機器のスライド機構において、前記スライドユニットを、前記他方の筐体に取り付けられ、出没孔を有するケース体と、このケース体内に前記出没孔から出没可能に収容されるボールベアリングと、前記ケース体内に収容され、前記ボールベアリングを突出方向に付勢する圧縮コイルスプリングとで構成することが好ましい。
【０００９】
また、本発明に係る携帯電話機は、前記の本発明に係る携帯機器のスライド機構を備えたことを特徴とする。この発明によれば、前述と同様に、他方の筐体が一方の筐体に対してスライド部材を軸に回動することがないので、開成状態にあっては、第１筐体と第２筐体とが重なり合っている部分が少なくなり、小型化を図れることになる。
【発明の効果】
【００１０】
以上説明したように本発明に係る携帯機器のスライド機構及び携帯電話機によれば、他方の筐体が一方の筐体に対してスライド部材を軸に回動することがないので、開成状態にあっては、第１筐体と第２筐体とが重なり合っている部分が少なくなり、小型化を図ることができる。
【発明を実施するための最良の形態】
【００１１】
以下、本発明に係る携帯機器のスライド機構及び携帯電話機を添付図面に基づいて詳述する。
【００１２】
（実施形態１）
図１及び図２は、本発明に係る第１の携帯機器のスライド機構を備えた携帯電話機の一例を示すものである。本発明に係る第１の携帯機器のスライド機構は、図１及び図２に示すように、携帯機器を構成する第１筐体２の両側部２２と第２筐体３の両側部３２を互いにスライドさせて、第１筐体２と第２筐体３のいずれか一方の筐体例えば第１筐体２の上面を第１筐体２と第２筐体３のいずれか他方の筐体例えば第２筐体３で覆う閉成状態（図１（ａ）参照。）と、第１筐体２の上面を露出させる開成状態（図１（ｃ）参照。）とを形成するものである。携帯機器としては、特に限定されず、例えば、携帯電話機、ザウルス（商標）等の携帯情報端末機、電卓、ポケットコンピュータ、携帯ゲーム機等が挙げられ、特に携帯電話機が好ましいものとして挙げられる。なお、本発明において携帯機器としては、その他、灰皿、ケース蓋等も含まれる。すなわち、２つの筐体を互いにスライドさせるものであれば特に限定されない。また、本実施の形態では、携帯機器として携帯電話機１１について説明するが、これに限定されるものではない。
【００１３】
本発明に係る第１の携帯機器のスライド機構１は、第１筐体２と第２筐体３とのいずれか一方の筐体、例えば、第２筐体３の両側部３２に設けられたガイド溝４と、第１筐体２と第２筐体３とのいずれか他方の筐体、例えば、第１筐体２の両側部２２の一端部近傍に設けられ、弾性を付与された状態でガイド溝４内へ摺動可能に圧接するスライドユニット６と、スライドユニット６に取り付けられ、ガイド溝４に回動することなくスライド係合するスライド部材５とを備えたことに特徴がある。
【００１４】
第１筐体２は、携帯電話機１１の送話部を構成するものであり、キーボード部２ａ（図６参照。）やマイク部２ｂ（図６参照。）等を上面に有している。第１筐体２は、両側部２２が上面から上方にそれぞれ突出した略コ字状であって平面視細長の略矩形状に形成されている。第２筐体３は、同じく携帯電話機１１の受話部を構成するものであり、ＬＣＤなどの表示部３ａ（図６参照。）やスピーカー部３ｂ（図６参照。）等を上面に有している。第２筐体３は、長手方向の長さが第１筐体２の長手方向の長さと略同じ寸法であると共に、幅方向の長さが第１筐体２の幅方向の長さより短い、例えば、若干短い寸法の略矩形状に形成されている。また、第２筐体３の厚さは、例えば、第１筐体２の側部２２の高さと略同じ寸法で形成されており、この第２筐体３が第１筐体２の側部２２間に嵌合されて第１筐体２に重ね合すことができるようになっている。この第２筐体の側部３２にガイド溝４が設けられている。
【００１５】
ガイド溝４は、スライド部材５と係合して第１筐体２と第２筐体３とを互いに回動することなく直線方向にスライドさせるものである。ガイド溝４は、第２筐体３の両側部３２にその長手方向に延び、先端部（スピーカー部３ｂがある側の端部）から後端部（先端部とは反対側の端部）にかけて直線状に形成されている。
【００１６】
スライド部材５は、第１筐体２の側部２２の内面の先端部（マイク部２ｂが設けられている側とは反対側の端部）近傍に取り付けられており、ガイド溝４に係合して第１筐体２と第２筐体３とが互いにその長手方向にすなわち直線方向に閉成状態と開成状態との間でスライドし得るようになっている。
【００１７】
すなわち、第２筐体３が第１筐体２の側部２２間に嵌合されて第１筐体２の上面が第２筐体３で覆われた状態が閉成状態であり、このとき、スライド部材５がガイド溝４の先端部に位置され、この状態から、例えば、第１筐体２に対して第２筐体３を第１筐体２の後端部側からその先端部側にスライドさせてスライド部材５をガイド溝４の後端部に位置させたとき、第１筐体２の上面が露出した状態が開成状態である。なお、第２筐体を下面の一部が突出する略凸状に形成して、この突出した部分を第１筐体２の側部２２間に嵌合して第１筐体２の上面全体を第２筐体で覆うようにしてもよい。また、スライド部材５を第１筐体２に設けると共にガイド溝４を第２筐体３に設けて第１筐体２と第２筐体３とを互いにスラ移動可能に連結したが、スライド部材を第２筐体３に設けると共にガイド溝を第２筐体３に設けて第１筐体２と第２筐体３とを互いにスライド可能に連結するようにしてもよい。
【００１８】
スライド部材５は、第１筐体２の側部２２に一体的に形成されていてもよいが、個別に形成されているものが好ましい。スライド部材５は、ガイド溝４と係合して第１筐体２と第２筐体３とを互いに直線方向にスライドさせるべくガイド溝４を摺動すると共に、第２筐体３が第１筐体２に対してスライド部材５を軸に回動することがないように形成されている。このスライド部材５は、図２及び図３に示すように、例えば、２つの直線状の平行部５ａ、５ａと２つの半円部５ｂ、５ｂとからなる細長の長円リング状に形成されていることが好ましい。なお、本発明において長円とは、平行部の両端部を半円部又は円弧状の湾曲部でそれぞれ接続してなる形状をいう。スライド部材５は、例えば、耐摩耗性材料で形成されていることが好ましい。
【００１９】
スライド部材５は、例えば、スライド部材装着部５１に着脱可能に取り付けられている。スライド部材装着部５１は、第１筐体２の側部２２に一体的に設けてもよいし、側部２２に設けた収容部２５に嵌合されて収容されたガイドケース６０に設けてもよい。ガイドケース６０は、弾性を付与された状態でガイド溝４内へ摺動可能に圧接するスライドユニット６を収容するものであり、スライドユニット６の一構成要素である。このガイドケース６０は、収容部２５に収容されたとき、一側面（摺動面６０ａということがある。）が側部２２の内面と同一（略同一を含む。）平面上に位置されるような略矩形箱状に形成されている。その摺動面６０ａに、表面から突出するようにスライド部材装着部５１が設けられている。スライド部材装着部５１は、例えば、側部２２の長手方向に延びる細長の矩形状の両端部を半円状にした長円形状の中央部を削り取った２つの部材から形成されている。これらのスライド部材装着部５１、５１の外周にスライド部材５が嵌め込まれるように着脱可能に取り付けられている。スライド部材装着部５１、５１間には、スライドユニット６を収容する係合凸嵌合部６８が設けられている。なお、スライド部材５は、スライド部材装着部５１を介することなく、スライドユニット６に直接取り付けるようにしてもよい。
【００２０】
また、スライド部材５の幅（平行部５ａ、５ａ間の長さ）は、ガイド溝４の幅より若干小さな寸法で形成されていることが好ましい。これにより、スライド部材５の平行部５ａ、５ａがガイド溝４を形成する両側壁４２、４２にそれぞれ接触又は近接して第１筐体２と第２筐体３とが互いに直線方向にスライド可能に係合されていると共に、第２筐体３が第１筐体２に対してスライド部材５を軸に回動することがないようになっている。
【００２１】
スライドユニット６は、弾性を付与された状態でガイド溝４内へ摺動可能に圧接するもので、ガイドケース６０の他に、図２及び図４に示すように、ケース体６１と蓋体６２と凸部材と受座部材６４と付勢部材とで構成されている。
【００２２】
ケース体６１は、係合凸嵌合部６８に嵌合されて収容される略円筒状に形成されている。ケース体６１の内形は、円形に形成されているが、略中央部から一端部（先端部ということがある。）にかけて漸次縮径されて形成されている。すなわち、ケース体６１の先端部の開口部（出没孔６１ａということがある。）は、他端部（後端部ということがある。）の開口部より径が小さな寸法の径で形成されている。ケース体６１の外形は、長円状に形成され、その先端部がさらに細長い長円状に形成されてフランジ部６１ｂとなっている。
【００２３】
このケース体６１内に、凸部材であるボールベアリング６３が収容されている。ボールベアリング６３は、出没孔８２ａの径より大きな、例えば、若干大きな寸法の径で形成されており、ケース体６１内に収容された状態で出没孔８２ａから一部が突出し得るようになっている。
【００２４】
ケース体６１の後端部の開口部は、蓋体６２により閉塞されている。蓋体６２は、後端部の開口部を閉塞するものであり、例えば、ケース体６１の外形と略同じ形状の長円状に形成されている。この蓋体６２は、ケース体６１の後端部の開口部を閉塞した状態で、例えば、超音波溶接によりケース体６１に固定されている。これにより、ボールベアリング６３は、ケース体６１から出ないようになっている。この蓋体６２が固定されたケース体６１が係合凸嵌合部６８に収容されると、ケース体６１の先端部がスライド部材装着部５１の表面と同一（略同一を含む。）平面上になるように、ケース体６１及び蓋体６２の形状及び寸法等が形成されている。
【００２５】
また、このケース体６１内には、ボールベアリング６３を支承する受座部材６４が収容されている。受座部材６４は、略円柱状に形成されている。受座部材６４の一端部には、ボールベアリング６３を回転可能に支承するボールベアリング６３の径と同じ径の半球状の支承部６４ａが設けられている。また、受座部材６４の他端部には、付勢部材である圧縮コイルスプリング６５の一端部が嵌装されるスプリング嵌挿部６４ｂが設けられている。圧縮コイルスプリング６５の他端部は、蓋体６２の内面に当接しており、ボールベアリング６３に他の力が作用しない場合には、圧縮コイルスプリング６５の付勢力により受座部材６４を介してボールベアリング６３の一部が出没孔６１ａから常に突出するようになっている。
【００２６】
このスライドユニット６のボールベアリング６３と係合凹部７とで第１筐体２と第２筐体３とを所定の位置にロック状態に保持する係合手段が構成されている。係合凹部７は、ガイド溝４内に設けられている。ガイド溝４は、ボールベアリング６３と係合して、例えば、第１筐体２に対して第２筐体３を任意の位置にロック状態に保持するものである。係合凹部７の位置は任意であり、例えば、ガイド溝４の先端部近傍であって閉成状態の第１筐体２と第２筐体３とをロック状態に保持する位置と、ガイド溝４の中央部（略中央部を含む。）であって中間状態（閉成状態と開成状態の中間の状態）の第１筐体２と第２筐体３とをロック状態に保持する位置と、ガイド溝４の後端部近傍であって開成状態の第１筐体２と第２筐体３とをロック状態に保持する位置との３箇所に形成されている。係合凹部７の内面は、例えば、ボールベアリング６３の径と同じ径の球面状に形成されていることが好ましい。なお、スライドユニット６を第１筐体２に設けると共に係合凹部７を第２筐体３に設けたが、スライドユニットを第２筐体３に設けると共に係合凹部７を第２筐体３に設けるようにしてもよい。
【００２７】
また、ガイド溝４内には、ボールベアリング６３が摺動する摺動部４５（図７及び図９参照。）を設けてもよい。摺動部４５は、係合凹部７より深さが浅い例えば円形状に形成されていることが好ましい。摺動部４５は、例えば、係合凹部７を連結すると共に、ガイド溝４に沿ってスライド部材５がスライド移動するとき、ボールベアリング６３と対向する直線上に形成されている。
【００２８】
次に本発明に係る第１の携帯機器のスライド機構１及び携帯電話機１１の作用を説明する。
【００２９】
携帯電話機１１が使用されていない状態では、通常、第１筐体２と第２筐体３が互いに重なり合った閉成状態（図１（ａ）参照。）である。このとき、スライドユニット６のボールベアリング６３が第２筐体３のガイド溝４の先端部近傍の係合凹部７に係合しており、閉成状態で第１筐体２と第２筐体３がロック状態に保持されている。この携帯電話機１１で通話を行うには、例えば、第１筐体２を左手で持つと共に第２筐体３を右手で持って、この第２筐体３を第１筐体２に対して第１筐体２の後端部から先端部側にスライドさせる。すると、ボールベアリング６３が係合凹部７から脱して（係合が解除されて）圧縮コイルスプリング６５の付勢力に抗してケース体６１内へと移動すると共に、摺動部４５に案内されつつこの摺動部４５上を摺動し、かつ、スライド部材５とガイド溝４との係合により第１筐体２に対して第２筐体３がスライドする。
【００３０】
このとき、スライド部材５の平行部５ａ、５ａがガイド溝４を形成する両側壁４２、４２にそれぞれ接触又は近接して第１筐体２と第２筐体３とが互いにスライドするので、第２筐体３が第１筐体２に対してスライド部材５を軸に回動することがない。その結果、第１筐体２と第２筐体３とは、互いに回動することなくスライドする。
【００３１】
スライド部材５がガイド溝４の中央部に達すると、ボールベアリング６３がガイド溝の中間部の係合凹部７に係合して、第１筐体２と第２筐体３が中間状態で保持される（図１（ｂ）参照。）。この中間状態からさらに第２筐体３を第１筐体２に対してスライドさせると、ボールベアリング６３が係合凹部７から脱する。そして、ガイド溝４の後端部４ｂにスライド部材５の一端部が当接すると、ボールベアリング６３が係合凹部７に係合して、第１筐体２と第２筐体３が開成状態で保持される（図１（ｃ）参照。）。
【００３２】
このとき、スライド部材５の平行部５ａ、５ａがガイド溝４を形成する両側壁４２、４２にそれぞれ接触又は近接しているので、第２筐体３が第１筐体２に対してスライド部材５を軸に回動することがない。このため、第１筐体２と第２筐体３とが回動することなく開成状態の第１筐体２と第２筐体３をロック状態に保持することができる。その結果、通話を安定して行える。
【００３３】
また、この開成状態を保持するスライド部材５がガイド溝４の他方の端部近傍に位置されているために、第１筐体２の上面が露出する部分が先端部近傍から後端部までと上面の大部分である。このため、開成状態にあっては、第１筐体２と第２筐体３とが重なり合っている部分が少なくなり、特に第１筐体２及び第２筐体３の長手方向の長さを短くでき、小型化を図れることになる。
【００３４】
第２筐体３を元の位置に戻すには、例えば、第１筐体２を左手で持つと共に第２筐体３を右手で持って、この第２筐体３を第１筐体２に対して第１筐体２の先端部から後端部側に力を作用させる。すると、ボールベアリング６３が係合凹部７から脱し（係合が解除され）、スライド部材５がガイド溝４に案内されつつ第２筐体３が第１筐体２に対してスライドする。そして、スライド部材５の他端部がガイド溝４の先端部４ａに当接すると共に、ボールベアリング６３が係合凹部７に係合して第１筐体２と第２筐体３が互いに重なり合った閉成状態に保持され、第２筐体３が元の状態に戻る。
【００３５】
したがって、本発明に係る第１の携帯機器のスライド機構１及び携帯電話機１１は、第２筐体３が第１筐体２に対してスライド部材５を軸に回動することなくガイド溝４を摺動するようにスライド部材５を形成したので、開成状態にあっては、第１筐体２と第２筐体３とが重なり合っている部分が少なくなり、小型化を図ることができる。
【００３６】
また、第２筐体３を第１筐体２に対してスライドさせている途中でこのスライドを停止すると、その位置に第２筐体３を停止することができる。すなわち、第２筐体３を第１筐体２に対してスライドさせると、スライドユニット６のボールベアリング６３がガイド溝４内の摺動部４５に摺動しつつ圧縮コイルスプリング６５の付勢力により摺動部４５に押圧されている。このため、第２筐体３を停止すると、ボールベアリング６３とガイド溝４の摺動部４５との接触による摩擦力によって第２筐体３はその位置に停止する。よって、第２筐体３を第１筐体２に対して所望の位置に停止させることができる。
【００３７】
（実施形態２）
図５〜図７は本発明に係る第２の携帯機器のスライド機構を備えた携帯電話機を示す図である。この第２のスライド機構の前記第１のスライド機構と異なるところは、図５〜図７に示すように、ガイド溝４に第１筐体２と第２筐体３との開成角度αを鈍角にする回動部９を設けた点である。なお、前記第１のスライド機構１と同じ部材には同じ名称を付し、その説明を省略することがある。
【００３８】
回動部９は、ガイド溝４の後端部に設けられている。回動部９は、第１筐体２と第２筐体３とのなす開成角度αを鈍角にするものである。このときの開成角度αは、特に限定されないが、例えば、１５０°である。本発明においては１５０°には、１５０°前後が含まれていることとする。回動部９は、開成角度αを鈍角にできれば、特に限定されず、例えば、閉成状態から開成状態へと第１筐体２と第２筐体３をスライドさせたとき、第１筐体２と第２筐体３とが直線方向にスライドした後にスライドしつつ回動して開成角度αが鈍角になるようにしてもよい。
【００３９】
この回動部９は、例えば、図５及び図６に示すように、ガイド溝４の後端部４ｃの上部が上方に曲がって傾斜部９１が形成されていると共に、その下部が、その傾斜部９１にスライド部材５の一端部が進入して後端部が下方に移動して第１筐体２に対して第２筐体３が回動し得るように回動凹部９２が形成され、この回動凹部９２の底部と傾斜部９１に嵌合することで第２筐体３の回動が停止される。すなわち、傾斜部９１の先端部にスライド部材５の一端部が挟持されると共に、スライド部材５の下方の平行部５２ａが傾斜部９１の底面９１ａに当接した状態で第２筐体３の回動が停止される。このため、傾斜部９１の先端部や底面９１ａ等の形状や角度を調節することにより、開成角度を任意の角度、例えば、特に１５０°に設定することができる。
【００４０】
係合凹部７は、例えば、ガイド溝４の先端部近傍であって閉成状態の第１筐体２と第２筐体３とをロック状態に保持する位置と、スライドしつつ回動してスライド部材５の下方の平行部５２ａが傾斜部９１の底面９１ａに当接した状態で第２筐体３の回動が停止された開成状態を保持する位置との２箇所に形成されている。
【００４１】
このように構成すると、携帯電話機１２が使用されていない状態では、通常、第１筐体２と第２筐体３が互いに重なり合った閉成状態（図５（ａ）参照）である。このとき、スライドユニット６のボールベアリング６３が第２筐体３のガイド溝４の先端部近傍の係合凹部７に係合しており、閉成状態で第１筐体２と第２筐体３がロック状態に保持されている。この携帯電話機１２で通話を行うには、例えば、第１筐体２を左手で持つと共に第２筐体３を右手で持って、この第２筐体３を第１筐体２に対して第１筐体２の後端部から先端部側にスライドさせる。すると、ボールベアリング６３が係合凹部７から脱して（係合が解除されて）圧縮コイルスプリング６５の付勢力に抗してケース体６１内へと移動すると共に、摺動部４５に案内されつつこの摺動部４５上を摺動し、かつ、スライド部材５とガイド溝４との係合により第１筐体２に対して第２筐体３がスライドする。
【００４２】
このとき、スライド部材５の平行部５ａ、５ａがガイド溝４を形成する両側壁４２、４２にそれぞれ接触又は近接して第１筐体２と第２筐体３とが互いにスライドするので、第２筐体３が第１筐体２に対してスライド部材５を軸に回動することがない。その結果、第１筐体２と第２筐体３とは、回動することなくスライドさせることができる。
【００４３】
そして、ガイド溝４の回動部９にスライド部材５がスライドすると、スライド部材５の一端部が傾斜部９１に進入してその底面９１ａに当接し、その底面９１ａに沿って上方に移動すると共に、スライド部材５の他端部が回動凹部９２に入り込む。これにより、第２筐体３が第１筐体２に対して回動する。スライド部材５の一端部が傾斜部９１の先端部に移動すると、スライド部材５の下方の平行部５２ａが傾斜部９１の底面９１ａに当接して回動が停止すると共に、ボールベアリング６３が第２筐体３の後端部側の係合凹部７に係合して、例えば、開成角度が１５０°の開成状態で回動することなくロック状態に保持される。すなわち、第１筐体２及び第２筐体３が図５（ｂ）及び図６に示すように、通話可能な開かれた状態になる。これにより、第１筐体２のマイク部２ｂを口元に、第２筐体３のスピーカー部３ｂをそれぞれ耳元に近づけることができる。また、開成角度が１５０°の開成状態では、第２筐体３の表示部３ａに表示された画像を見ながら第１筐体２のキーボード部２ａの操作がし易くなり、使い勝手がよくなる。
【００４４】
また、この開成状態を保持するスライド部材５がガイド溝の他方の端部近傍に位置されているために、第１筐体２の上面が露出する部分が先端部近傍から後端部までと上面の大部分である。このため、開成状態にあっては、第１筐体２と第２筐体３とが重なり合っている部分が少なくなり、特に第１筐体２及び第２筐体３の長手方向の長さを短くでき、小型化を図れることになる。
【００４５】
第２筐体３を元の位置に戻すには、例えば、第１筐体２を左手で持つと共に第２筐体３を右手で持って、この第２筐体３を第１筐体２に対して第１筐体２の先端部から後端部側に力を作用させる。すると、ボールベアリング６３が係合凹部７から脱し（係合が解除され）、スライド部材５の他端部が回動凹部９２からガイド溝４に入り込むと共に、スライド部材５の一端部が底面９１ａに沿って下方に移動してからガイド溝４に入り込み、スライド部材５とガイド溝４との係合により第１筐体２に対して第２筐体３がスライドする。そして、スライド部材５の他端部がガイド溝４の先端部４ａに当接すると共に、ボールベアリング６３が第２筐体３の先端部側の係合凹部７に係合して第１筐体２と第２筐体３が互いに重なり合った閉成状態に保持され、第２筐体３が元の状態に戻る。
【００４６】
したがって、本発明に係る第２の携帯機器のスライド機構１００及び携帯電話機１２は、小型化を図ることができると共に、操作性が向上し、かつ、使い勝手がよいものである。
【００４７】
また、第２筐体３を第１筐体２に対してスライドさせている途中でこのスライドを停止すると、その位置に第２筐体３を停止することができる。すなわち、第２筐体３を第１筐体２に対してスライドさせると、スライドユニット６のボールベアリング６３がガイド溝４内の摺動部４５に摺動しつつ圧縮コイルスプリング６５の付勢力により摺動部４５に押圧されている。このため、第２筐体３を停止すると、ボールベアリング６３とガイド溝４の摺動部４５との接触による摩擦力によって第２筐体３はその位置に停止する。よって、第２筐体３を第１筐体２に対して所望の位置に停止させることができる。
【００４８】
（実施形態３）
図８及び図９は本発明に係る第３の携帯機器のスライド機構を備えた携帯電話機を示す図である。この第３のスライド機構は、図８及び図９に示すように、ガイド溝４に開成状態の第１筐体２と第２筐体３との開成角度α（図５（ｂ）参照。）を鈍角にする回動部を設けた点である。なお、前記第１のスライド機構と同じ部材には同じ名称を付し、その説明を省略することがある。
【００４９】
回動部９は、ガイド溝４の後端部４ｃの下部に形成された回動凹部９５を有する。ガイド溝４は、第１筐体２の上面が第２筐体３で覆われた閉成状態と、この閉成状態のとき例えば第１筐体２に対して第２筐体３を第１筐体２の後端部側から先端部側にその長手方向すなわち直線方向にスライドさせて、スライド部材５の一端部をガイド溝４の後端部４ｂに当接したとき、第１筐体２の上面が露出した開成状態となるように形成されている。そのガイド溝４の後端部４ｂは、スライド部材５の一端部の半円部５２ｂが嵌合し得るように半円状に形成されている。
【００５０】
回動凹部９５は、ガイド溝４の後端部４ｃにスライド部材５の一端部が当接した開成状態の第１筐体２と第２筐体３とを互いにスライド部材５の一端部の半円部５２ｂの軸を回動軸として回動させるものである。回動凹部９５の底面９５ａは、平面状であって傾斜されており、この底面にスライド部材５の下部の平行部５２ａが当接することにより回動が停止するようになっている。このため、回動凹部９５の底面９５ａの角度を調節することにより、開成角度を任意の角度、例えば、特に１５０°に設定することができる。
【００５１】
係合凹部７は、例えば、ガイド溝４の先端部近傍であって閉成状態の第１筐体２と第２筐体３とをロック状態に保持する位置と、第１筐体２と第２筐体３を互いに直線方向にスライドさせて、スライド部材５の一端部をガイド溝４の後端部４ｃに当接したときの開成状態（第１開成状態ということがある。）をロック状態に保持する位置（この位置に設けられた係合凹部７を第１係合凹部７ａとする。）と、第１開成状態の第１筐体２と第２筐体３をさらに互いに回動させてスライド部材５の平行部５２ａが回動凹部９５の底面９５ａに当接した状態でその回動が停止された開成状態（第２開成状態）をロック状態に保持する位置（この位置に設けられた係合凹部７を第２係合凹部７ｂとする。）との３箇所に形成されている。
【００５２】
このように構成しても、小型化及び操作性が向上する。すなわち、携帯電話機１３が使用されていない状態では、通常、第１筐体２と第２筐体３が互いに重なり合った閉成状態（図８（ａ）参照）である。このとき、スライドユニット６のボールベアリング６３が第２筐体３のガイド溝４の先端部近傍の係合凹部７に係合しており、閉成状態で第１筐体２と第２筐体３がロック状態に保持されている。この携帯電話機１３で通話を行うには、例えば、第１筐体２を左手で持つと共に第２筐体３を右手で持って、この第２筐体３を第１筐体２に対して第１筐体２の後端部から先端部側にスライドさせる。すると、ボールベアリング６３が係合凹部７から脱して（係合が解除されて）圧縮コイルスプリング６５の付勢力に抗してケース体６１内へと移動すると共に、摺動部４５に案内されつつこの摺動部４５上を摺動し、かつ、スライド部材５とガイド溝４との係合により第１筐体２に対して第２筐体３がスライドする。
【００５３】
このとき、スライド部材５の平行部５ａ、５ａがガイド溝４を形成する両側壁４２、４２にそれぞれ接触又は近接して第１筐体２と第２筐体３とが互いにスライドするので、第２筐体３が第１筐体２に対してスライド部材５を軸に回動することがない。その結果、第１筐体２と第２筐体３とは、回動することなくスライドさせることができる。
【００５４】
そして、ガイド溝４の後端部４ｂにスライド部材５の一端部が当接すると、ボールベアリング６３が第１係合凹部７ａに係合して、第１筐体２と第２筐体３が第１開成状態に保持される（図８（ｂ）参照。）。この第１開成状態の第１筐体２と第２筐体をさらに互いに回動させると、スライド部材５の平行部５２ａが回動凹部９５の底面９５ａに当接すると共に、ボールベアリング６３が第１係合凹部７ａから脱して第２係合凹部７ｂに係合して、例えば、開成角度が１５０°の第２開成状態でロックされる。すなわち、第１筐体２及び第２筐体３が通話可能な開かれた状態になる（図８（ｃ）及び図６参照。）。これにより、第１筐体２のマイク部２ｂを口元に、第２筐体３のスピーカー部３ｂをそれぞれ耳元に近づけることができる。また、開成角度が１５０°の開成状態では、第２筐体３の表示部３ａに表示された画像を見ながら第１筐体２のキーボード部２ａの操作がし易くなり、使い勝手がよくなる。
【００５５】
第２筐体３を元の位置に戻すには、第２開成状態の第１筐体２と第２筐体３を互いに逆方向に回動させると、スライド部材５の上方の平行部５２ａがガイド溝４の上方の壁に当接すると共に、ボールベアリング６３が第２係合凹部７ｂから脱して第１係合凹部７ａに係合する。この第２筐体３を第１筐体２に対して第１筐体２の先端部から後端部側に力を作用させる。すると、ボールベアリング６３が第１係合凹部７ａから脱し、スライド部材５とガイド溝４との係合により第１筐体２に対して第２筐体３がスライドする。そして、スライド部材５の他端部がガイド溝４の先端部に当接すると共に、ボールベアリング６３が第２筐体３の先端部側の係合凹部７に係合して第１筐体２と第２筐体３が互いに重なり合った閉成状態に保持され、第２筐体３が元の状態に戻る。
【００５６】
したがって、本発明に係る第３の携帯機器のスライド機構１１０及び携帯電話機１３は、小型化を図ることができると共に、操作性が向上し、かつ、使い勝手がよいものである。
【００５７】
また、第２筐体３を第１筐体２に対してスライドさせている途中でこのスライドを停止すると、その位置に第２筐体３を停止することができる。すなわち、第２筐体３を第１筐体２に対してスライドさせると、スライドユニット６のボールベアリング６３がガイド溝４内の摺動部４５に摺動しつつ圧縮コイルスプリング６５の付勢力により摺動部４５に押圧されている。このため、第２筐体３を停止すると、ボールベアリング６３とガイド溝４の摺動部４５との接触による摩擦力によって第２筐体３はその位置に停止する。よって、第２筐体３を第１筐体２に対して所望の位置に停止させることができる。
【００５８】
（実施形態４）
図１０は本発明に係る第４の携帯機器のスライド機構を備えた携帯電話機を示す図である。この第４のスライド機構の前記第１のスライド機構と異なるところは、図１０に示すように、ガイド溝４及びスライド部材５を湾曲状に形成した点である。なお、前記第１のスライド機構と同じ部材には同じ名称を付し、その説明を省略することがある。
【００５９】
ガイド溝４は、第２筐体３００の両側部３２０にその長手方向に延び、先端部（スピーカー部がある側の端部）から後端部（先端部とは反対側の端部）にかけて湾曲状に形成されている。このガイド溝４は、開成状態における第１筐体２００と第２筐体３００とのなす開成角度αが鈍角、例えば、１５０°となるように形成されていることが好ましい。
【００６０】
スライド部材５は、２つの平行部がガイド溝４の湾曲状に応じて湾曲状に形成されている。これにより、スライド部材５がガイド溝４と係合して第１筐体２００と第２筐体３００とが互いに曲線方向にスライドするようになっている。
【００６１】
係合凹部７は、例えば、ガイド溝４の先端部近傍であって閉成状態の第１筐体２００と第２筐体３００とをロック状態に保持する位置と、ガイド溝４の後端部近傍であって開成状態の第１筐体２００と第２筐体３００とをロック状態に保持する位置との２箇所に形成されている。
【００６２】
このように構成すると、携帯電話機１４が使用されていない状態では、通常、第１筐体２００と第２筐体３００が互いに重なり合った閉成状態（図１０（ａ）参照。）である。このとき、スライドユニット６のボールベアリング６３が第２筐体３００のガイド溝４の先端部近傍の係合凹部７に係合しており、閉成状態で第１筐体２００と第２筐体３００がロック状態に保持されている。この携帯電話機１４で通話を行うには、例えば、第１筐体２００を左手で持つと共に第２筐体３００を右手で持って、この第２筐体３００を第１筐体２００に対して第１筐体２００の後端部から先端部側にスライドさせる。すると、ボールベアリング６３が係合凹部７から脱して（係合が解除されて）圧縮コイルスプリング６５の付勢力に抗してケース体６１内へと移動すると共に、摺動部４５に案内されつつこの摺動部４５上を摺動し、かつ、スライド部材５とガイド溝４との係合により第１筐体２００に対して第２筐体３００が曲線状にスライドする。
【００６３】
このとき、スライド部材５の平行部がガイド溝４を形成する両側壁にそれぞれ接触又は近接して第１筐体２００と第２筐体３００とが互いにスライドするので、第２筐体３００が第１筐体２００に対してスライド部材５を軸に回動することがない。その結果、第１筐体２００と第２筐体３００とは、回動することなくスライドさせることができる。
【００６４】
そして、ガイド溝４の後端部４ｂにスライド部材５の一端部が当接すると、ボールベアリング６３が係合凹部７に係合して、第１筐体２００と第２筐体３００が例えば、開成角度が１５０°の開成状態に回動することなくロック状態に保持される。これにより、第１筐体２００のマイク部を口元に、第２筐体３００のスピーカー部をそれぞれ耳元に近づけることができる。また、開成角度が１５０°の開成状態では、第２筐体３００の表示部に表示された画像を見ながら第１筐体２００のキーボード部の操作がし易くなり、使い勝手がよくなる。
【００６５】
また、この開成状態を保持するスライド部材５がガイド溝４の他方の端部近傍に位置されているために、第１筐体２００の上面が露出する部分が先端部近傍から後端部までと上面の大部分である。このため、開成状態にあっては、第１筐体２００と第２筐体３００とが重なり合っている部分が少なくなり、特に第１筐体２００及び第２筐体３００の長手方向の長さを短くでき、小型化を図れることになる。
【００６６】
第２筐体３００を元の位置に戻すには、例えば、第１筐体２００を左手で持つと共に第２筐体３００を右手で持って、この第２筐体３００を第１筐体２００に対して第１筐体２００の先端部から後端部側に力を作用させる。すると、ボールベアリング６３が係合凹部７から脱し（係合が解除され）、スライド部材５がガイド溝４に案内されつつ第２筐体３００が第１筐体２００に対して湾曲状にスライドする。そして、スライド部材５の他端部がガイド溝４の先端部４ａに当接すると共に、ボールベアリング６３が係合凹部７に係合して第１筐体２００と第２筐体３００が互いに重なり合った閉成状態に保持され、第２筐体３００が元の状態に戻る。
【００６７】
したがって、本発明に係る第４の携帯機器のスライド機構１２０及び携帯電話機１４は、小型化を図ることができると共に、操作性が向上し、かつ、使い勝手がよいものである。
【００６８】
また、第２筐体３を第１筐体２に対してスライドさせている途中でこのスライドを停止すると、その位置に第２筐体３を停止することができる。すなわち、第２筐体３を第１筐体２に対してスライドさせると、スライドユニット６のボールベアリング６３がガイド溝４内の摺動部４５に摺動しつつ圧縮コイルスプリング６５の付勢力により摺動部４５に押圧されている。このため、第２筐体３を停止すると、ボールベアリング６３とガイド溝４の摺動部４５との接触による摩擦力によって第２筐体３はその位置に停止する。よって、第２筐体３を第１筐体２に対して所望の位置に停止させることができる。
【産業上の利用可能性】
【００６９】
以上説明したように本発明に係るスライド機構は、構成が簡単な上に、小型化を図ることができると共に、操作性が向上し、かつ、使い勝手がよいものであるので、携帯端末の中でもとくに携帯電話機のスライド機構として好適に用いられるものである。
【図面の簡単な説明】
【００７０】
【図１】本発明に係る第１の携帯機器のスライド機構を備えた携帯電話機の一例を示す側面図で、（ａ）は閉成状態を示す図、（ｂ）は中間状態を示す図、ｃ）は開成状態を示す図である。
【図２】本発明に係る携帯機器のスライド機構の一例を示す概略断面図である。
【図３】本発明に係るスライド部材の一例を示す斜視図で、（ａ）は取付状態を示す図、（ｂ）は分解図である。
【図４】本発明に係る凸部の一例を示す図で、（ａ）は分解斜視図、（ｂ）は側断面図、（ｃ）は側面図、（ｄ）は正面図である。
【図５】本発明に係る第２の携帯機器のスライド機構を備えた携帯電話機の一例を示す側面図で、（ａ）は閉成状態を示す図、（ｂ）は開成状態を示す図である。
【図６】本発明に係る第２の携帯機器のスライド機構を備えた携帯電話機の一例であってその開成状態を示す平面図である。
【図７】本発明に係るガイド溝及び回動部の一例を示す斜視図である。
【図８】本発明に係る携帯機器のスライド機構を備えた第２の携帯電話機の一例を示す側面図で、（ａ）は閉成状態を示す図、（ｂ）及び（ｃ）は開成状態を示す図である。
【図９】本発明に係るガイド溝及び回動部の他の例を示す斜視図である。
【図１０】本発明に係る第４の携帯機器のスライド機構を備えた携帯電話機の一例を示す側面図で、（ａ）は閉成状態を示す図、（ｂ）は開成状態を示す図である。
【符号の説明】
【００７１】
１  スライド機構
２  第１筐体
３  第２筐体
４  ガイド溝
５  スライド部材
６  スライドユニット
７  係合凹部
９  回動部
１１  携帯電話機
１２  携帯電話機
１３  携帯電話機
１４  携帯電話機
２２  側部
３２  側部
６３  ボールベアリング
９１  傾斜部
９１ａ  底面
９２  回動凹部
５  回動凹部
９５ａ  底面
１００  スライド機構
１１０  スライド機構
１２０  スライド機構
２００  第１筐体
３００  第２筐体
【図１】
2006173794.tif 000003
【図２】
2006173794.tif 000004
【図３】
2006173794.tif 000005
【図４】
2006173794.tif 000006
【図５】
2006173794.tif 000007
【図６】
2006173794.tif 000008
【図７】
2006173794.tif 000009
【図８】
2006173794.tif 000010
【図９】
2006173794.tif 000011
【図１０】
2006173794.tif 000012